(57)【要約】【課題】荷物の内容に応じて適温表示をする示温シールを選択して貼付でき、さらに容器を開放することなく外側から容器内部の荷物が適温保存されているか否かを観察できる温度表示付保冷容器を提供する。【解決手段】断熱性材料から形成された保冷箱１の蓋部２に透明な窓部４を設け、この窓部４の内側に、外側から観察可能なように示温シール５を貼付する。【選択図】　　図２
2004142758.tif 000002
【特許請求の範囲】
【請求項１】
断熱性材料から形成された容器に少なくとも１つの透明窓を設け、該透明窓の内側に、外側から観察可能なように示温シールを貼付したことを特徴とする温度表示付保冷容器。
【発明の詳細な説明】
【０００１】
【発明の属する技術分野】
本発明は、肉や魚、果物の如き要冷凍・要冷蔵食品の配送に用いて好適な温度表示付保冷容器に関する。
【０００２】
【従来の技術】
冷凍・冷蔵輸送の発達により、近年ではお土産やお中元・お歳暮などに産地直送の肉や魚、果物など、要冷蔵・冷凍食品を宅配便などで送る機会が増えている。
【０００３】
これらは、冷凍・冷蔵庫を備えた保冷車などによって配達されるので設備上は問題ないが、取り扱い上、積み替えや受け渡し時など常温中に長時間さらされ品質が低下しても再度冷蔵等してしまえば外観上は大差ないという信用上の問題があった。
【０００４】
一方、特許文献１には中身の液体が所定の温度範囲にある場合に容器の外壁に示温表示が現れ、中身の液体が適温であるか否かを表示できるようにした示温哺乳瓶が開示されている。これは、ある特定の温度で変色する示温塗料、示温インクなどと呼ばれる材料により予め容器の外壁に「適温」「飲み頃」「暖か（冷た）い」などの表示を設けておき、中身が所定温度に達したときに初めてこの表示が発色して見えるようにしたものである。
【０００５】
【特許文献１】
実開昭６３−１５８３４１号公報
【０００６】
【発明が解決しようとする課題】
然るに、これらの容器は適温表示をする温度（範囲）が予め固定的に決められている上に、容器およびその中身は加熱・冷却が可能なものである為、冷蔵・冷凍食品の配達には適さないものであった。
【０００７】
本発明は上記課題に鑑みなされたもので、本発明は荷物の内容に応じて適温表示をする示温シールを選択して貼付でき、さらに容器を開放することなく外側から容器内部の荷物が適温保存されているか否かを観察できるようにした温度表示付保冷容器の提供を目的としている。
【０００８】
【課題を解決するための手段】
上記課題を解決するため、本発明が採用する構成の特徴は、断熱性材料から形成された容器に少なくとも１つの透明窓を設け、該透明窓の内側に、外側から観察可能に示温シールを貼付したことにある。
【０００９】
【発明の実施の形態】
以下、本発明の好適な実施の形態を図１ないし図６を用いて詳述する。
図中、１は発泡スチロールや発泡ポリウレタンなどの断熱性プラスチック材料からなる保冷箱を示し、該保冷箱１は上下方向に蓋部２と本体部３とに分割可能に形成されている。
【００１０】
前記蓋部２には中央に穴が空けられ、透明なプラスチックフィルムやプラスチック板などからなる窓部４が形成されている。そして、該窓部４には示温シール５が保冷箱１の内側から貼付されている。該示温シール５はある特定範囲の温度、例えば１０℃以下で発色する示温インクにより「冷蔵（１０℃以下）」などと表示を設けておき、中身が１０℃以下に達したときに初めてこの表示が発色して見えるようにしたものである。該示温シール５は発色温度や表示内容の異なる複数種を適宜選択または組み合わせて貼付することができる。
【００１１】
前記本体部３の内側には、荷物としての魚６と共に氷、ドライアイス、寒剤、冷凍ゲルなどの冷却材７が封入されている。
【００１２】
８は前記保冷箱１の蓋部２と本体部３の合わせ目に貼付された封緘紙で、該封緘紙８は開封すると千切れて再度貼り付けできなくなるタンパーカットや、一度開封すると「開封済」などの表示が現れるセキュリティシールを用いるのが好ましい。なお、封緘紙８は配送伝票などを蓋部２と本体部３の合わせ目に貼ることで兼用することも可能である。
【００１３】
図３は示温シール５の断面構造の一例を示す概略図である。
９は粘着剤であって、該粘着剤９は少なくとも使用する温度範囲で透明、かつ十分な粘着力のあるものが用いられている。１０は示温インキによる印刷層、１１は紙や合成紙等のシール基材であって、該シール基材１１には示温インクが発色したときに十分なコントラストが得られるような下地印刷や、温度によらず常に表示される固定印刷が施されている。
【００１４】
また、図４は示温シール５の断面構造の他の例を示す概略図であり、図３との違いは、シール基材をプラスチックフィルム等の透明基材１２で構成し示温インクによる印刷層１０を該透明基材１２の下側、即ち最下層（保冷箱１内の荷物側）に設けたことにある。
【００１５】
本実施の形態は以上の如きもので、予め発送者等が中に入れる荷物の内容に応じ示温シールの種類を選択して保冷箱１の内側から窓部４に貼付し、保冷箱１を密封して封緘紙８を貼り発送する。配達者等や受取人は容器を開放することなく外側から保冷箱１内部の荷物が適温保存されているか否か確認できる。
ここで、特に示温シール５を窓部４に内貼りとしたから、保冷箱１の中身が冷たいことにより窓部４が結露しても、外側をぬぐうだけで容易に示温シール５の表示を見ることができる。そして、内部が適当な保冷状態にあれば、封緘紙８によって保冷箱１は未開封であることが保証され、かつ配達伝票によって発送時期も確認できるため、荷物の品質について信用できると判断される。
【００１６】
次に図５および図６は前記窓部を外窓部材１３、内窓部材１４、中空層１５からなる二重構造とした他の実施の形態であって、図５は示温シール５を内窓部材１４よりも本体部３側に貼付した例、図６は内窓部材１４の中空層１５側に貼付した例を示す。
【００１７】
以上の構成によれば、保冷箱１の窓部からの熱伝導を小さく抑えることができ、特に図６の構成では耐候性に劣る示温インキが早期に劣化するのを防止できる。
【００１８】
なお、上述した各実施の形態はあくまで例示であり、この形態に限定されることなく、特許請求の範囲に記載の限度において種々の変更が可能である。
また、氷、ドライアイス等の冷却材７は必須ではなく、保冷車、冷凍・冷蔵庫から取り出した荷物自身が十分に冷却されたものであればこの荷物単独で保冷箱１に封入すればよい。
【００１９】
【発明の効果】
以上詳述した通り、本発明によれば、荷物の内容に応じて適温表示をする示温シールを選択して貼付でき、さらに容器を開放することなく外側から容器内部の荷物が適温保存されているか否かを観察でき、時間や料金のみでなく、適切な温度状態で荷物が取り扱われたか否かの信用上の問題を解消できる。
【図面の簡単な説明】
【図１】本発明の実施の形態に係る保冷箱の概観図である。
【図２】図１中の矢示ＩＩ−ＩＩ方向の断面図である。
【図３】示温シールの構造の一例を示す断面図である。
【図４】示温シールの構造の他の例を示す断面図である。
【図５】他の実施の形態に係る保冷箱の断面図である。
【図６】他の実施の形態に係る保冷箱の断面図である。
【符号の説明】
１…保冷箱、２…蓋部、３…本体部、４…窓部、５…示温シール、６…魚、７…冷却材、８封緘紙、９…粘着剤、１０…印刷層（示温インク）、１１…シール基材、１２…透明基材、１３…外窓部材、１４…内窓部材、１５…中空層
【図１】
2004142758.tif 000003
【図２】
2004142758.tif 000004
【図３】
2004142758.tif 000005
【図４】
2004142758.tif 000006
【図５】
2004142758.tif 000007
【図６】
2004142758.tif 000008